(57)【要約】【課題】光学ユニットの調整の作業性を損なわない、光源用ランプのランプ冷却装置を得ること。【解決手段】上下接続ダクト９５，９６が一体に設けられたランプ９０の、上ダクト９５にダクト１２１，１２２，１２３を接続し、下ダクト９６にダクト１３１，１３２，１３３を接続し１２２，１３２の間に熱交換用のラジエータ１００と送風装置１１０を設け、閉じた空気の循環経路を形成する。そして、ダクト１２３，１３３をシリコーン樹脂のチューブで形成し柔軟性と耐熱性を兼ね備えるようにし、ラジエータ１００と送風装置１１０を筐体に固定すると共に、ランプ９０を光学ユニット５０に位置決め固定し、調整のときランプ９０のみが独立して光学ユニット５０と一体に移動できるようにした。【選択図】図３２
2007248641.tif 000002
【特許請求の範囲】
【請求項１】
前面透明板と、発光源からの光を前記前面透明板側に反射させるリフレクタと、前記前面透明板と前記リフレクタとで囲まれたランプ内空間に配置された前記発光源とからなるランプを冷却するためのランプ冷却装置において、
前記ランプに、前記ランプ内空間に通じる気体出入口を形成し、
前記気体出入口に、前記ランプ内空間との間で気体を循環させる閉管路を接続し、
前記閉管路の前記気体出入口側に可撓性を有する部分を設けた
ことを特徴とするランプ冷却装置。
【請求項２】
請求項１記載のランプ冷却装置において、
前記管路の材料はランプからの紫外線に対する耐候性と２００℃以上の耐熱性とを有する
ことを特徴とするランプ冷却装置。
【請求項３】
請求項２記載のランプ冷却装置において、
前記管路の可撓性を有する部分は硫黄分を含まない柔軟性の樹脂からなる
ことを特徴とするランプ冷却装置。
【請求項４】
請求項３記載のランプ冷却装置において、
前記樹脂はシリコーン樹脂のチューブよりなる
ことを特徴とするランプ冷却装置。
【請求項５】
請求項１記載のランプ冷却装置において、
前記閉管路に前記気体を強制循環させる送風装置を備えた
ことを特徴とするランプ冷却装置。
【請求項６】
請求項１記載のランプ冷却装置において、
前記閉管路内の前記循環する気体を冷却する冷却装置を備えた
ことを特徴とするランプ冷却装置。
【請求項７】
請求項１記載のランプ冷却装置において、
前記ランプの前記気体出入口側の開口に網板が設けられている
ことを特徴とするランプ冷却装置。
【請求項８】
請求項１記載のランプ冷却装置において、
前記ランプの前記気体出入口と前記閉管路とは、気密確保用のシール材を介在させた合わせ面で分離可能に接続される
ことを特徴とするランプ冷却装置。
【請求項９】
前面透明板と、発光源からの光を前記前面透明板側に反射させるリフレクタとで囲まれたランプ内空間に前記発光源が配置され、前記ランプ内空間に通じる気体出入口が形成されたランプと、前記ランプを冷却するためのランプ冷却装置と、投影レンズと投射ミラーとを有する光学ユニットが筐体に設けられたリアプロジェクションディスプレイ装置において、
前記ランプ冷却装置は、
前記ランプの前記気体出入口に、前記ランプ内空間との間で気体を循環させる閉管路が接続され、    
前記閉管路に、前記気体出入口側に可撓性を有する部分と、前記ランプ内空間の前記気体を強制的に循環させる送風装置と冷却する冷却装置とを備え、
前記ランプが前記光学ユニットに対し一体に位置決めされ、前記送風装置と前記冷却装置とを前記筐体の側に固定した  
ことを特徴とするリアプロジェクションディスプレイ装置。
【発明の詳細な説明】
【技術分野】
【０００１】
本発明は、光源として用いられるランプを冷却するためのランプ冷却装置及びこのランプ冷却装置を備えたリアプロジェクションディスプレイ装置に関する。
【背景技術】
【０００２】
図３５は、従来のリアプロジェクションディスプレイ装置の内部構成の一例を示し、このリアプロジェクションディスプレイ装置は、筐体内後方下部に配置したプロジェクタ本体１９０内の投影画像生成部からの画像が投射レンズにより、筐体内前方下部に設けられた第１の反射ミラー１９１、筐体内背面に設けられた第２の反射ミラー１９２を介して折り返して投写を行い、筐体前面に設けられた透過スクリーン１９３に背後から結像することで画像として表示するものである。
この種のリアプロジェクションディスプレイ装置では、奥行を小さくしてスクリーンを広く形成できる点でブラウン管を用いたテレビよりも大型化が容易であるため、ホームシアターでの映像装置として多く用いられるようになっている。なお、特許文献１には、図３５に示す構成と異なり、第１の反射ミラーを設けず、投射レンズから第２の反射ミラーに直接投写するものが開示されている。
【０００３】
このリアプロジェクションディスプレイ装置は一般家庭に設置されることが多いため、その光源に用いられるランプは高輝度で長寿命であることが必要となる。このランプについて説明する。
図３６，図３７において２００はリアプロジェクションディスプレイ装置で一般的に用いられているランプであり、このランプ２００は、放電用ガスをガラス管に封入した発光源（「バーナ部」ともいう）２０１ａが、リフレクタ２０２と前面透明板２０４によって囲まれ外部から隔離された密閉空間内に位置している。発光源２０１ａで発生した光はリフレクタ２０２内面の反射面によって前面透明板２０４側に反射され、前面透明板２０４を透過して外部に出射される。出射される光は、図３７の実線の矢印で示すように平行光束となるような反射曲面を採用することが多いが、光学系によっては出射光が破線の矢印で示すように出射先で一端集光し、その後拡がるような反射曲面が採用される。
【０００４】
このようなランプ２００の図３７に示す発光源２０１ａからは光だけでなく多量の熱が放出されるが、発光効率・ランプ寿命の観点からは発光源２０１ａの温度Ｔｂと、バルブ先端封止部２０１ｂの温度Ｔｃが所定の温度範囲内に収まるようにすることが必要となる。
そのため、従来から図３６に示すように、ランプ２００の後側からファン２１０を用いて冷風をランプ２００に吹き当てて空冷を行うことが行われている。
しかし、近年、リアプロジェクションディスプレイ装置での映像の明るさに対する要求から、ランプ２００がより高輝度化され排熱すべき熱量は増加の一途となっており、図３６に示すランプ２００の外側に風を吹き当てて行う、発光源２０１ａ，バルブ先端封止部２０１ｂの間接空冷では、Ｔｂ，Ｔｃを所定の温度範囲内に収めることが困難になっている。
そこで、図３８に示すように、リフレクタ２０２の図に示す底面側と上面側にそれぞれ開口２０２ａ，２０２ｂをあけ、これら開口２０２ａ，２０２ｂを介してランプ内空間を外気と換気できる構成にして、発光源２０１ａとバルブ先端封止部２０１ｂを直接空冷する構造が提案されている（例えば、送風方向は異なるが特許文献２）。
【特許文献１】特開平１１−８４５３３号公報（図１）
【特許文献２】特開２００３−１５７７１５号公報（図１，図２）
【発明の開示】
【発明が解決しようとする課題】
【０００５】
これに対し、図３８に示す発光源２０１ａとバルブ先端封止部２０１ｂが配置されたランプ内空間に外気を導入する方式では、温度を所定範囲内に収めるためにファン２１０の回転数を上げたり、より大きなファンを用いることが考えられるが、この結果許容できない送風音を伴う可能性があり、リアプロジェクションディスプレイ装置としての商品性を大きく損なうおそれがあった。
また、外気に含まれる塵や埃などがランプ内空間に入り込んで光を遮り、ランプ２００からの出射量が減少し輝度の低下をもたらしたり、ランプ２００の寿命などにより発光源２０１ａが破裂した場合、破裂音がそのまま外に漏れたり、破損片が外部に出てしまう不具合を生じさせるおそれがあった。
ところで、リアプロジェクションディスプレイ装置では、より設置面積が小さくなるようにするため、例えば従来の背面側に設けられる図３５に示す反射ミラー９５を天板側に配設するとともに、プロジェクタからの画像を略垂直方向に投射して、更に奥行きを小さくすることが検討されている。
そして、この天板側に平面ミラーが配設された構成では反射ミラーとスクリーンの相対的な位置関係が従来にも増して厳しくなるため、従来の図３５に示すプロジェクタ本体１９０の代わりに新たに設計された専用の投影光学系が採用される。従って、ユーザでの実使用の際に投影される映像の微調整を容易に行うことができるようにしておくことが必須である。
【０００６】
本発明はかかる点に鑑み、ユーザでの設置場所で、投影映像の調整を簡便に行うことができ、低騒音で高信頼性を有するランプのランプ冷却装置及びこのランプ冷却装置を備えたリアプロジェクションディスプレイ装置を提案するものである。
【課題を解決するための手段】
【０００７】
上記課題を解決するため本発明は、前面透明板と、発光源からの光を前面透明板側に反射させるリフレクタと、前面透明板とリフレクタとで囲まれたランプ内空間に配置された発光源とからなるランプを冷却するためのランプ冷却装置において、ランプに、ランプ内空間に通じる気体出入口を形成し、  気体出入口に、ランプ内空間との間で気体を循環させる閉管路を接続し、閉管路の気体出入口側に可撓性を有する部分を設けたものである。
【０００８】
このように構成した本発明ランプ冷却装置によれば、ランプの外部空間でひとつながりにされた管路に強制的に循環気流を形成する送風装置が接続されても、送風装置の振動などが管路の可撓性を有する部分で緩和され、高温となっているランプの光源の寿命を長くすることができる。
【０００９】
また、本発明は、前面透明板と、発光源からの光を前面透明板側に反射させるリフレクタとで囲まれたランプ内空間に発光源が配置され、ランプ内空間に通じる気体出入口が形成されたランプと、ランプを冷却するためのランプ冷却装置と、投影レンズと投射ミラーとを有する光学ユニットが筐体に設けられたリアプロジェクションディスプレイ装置において、ランプ冷却装置は、ランプの気体出入口に、ランプ内空間との間で気体を循環させる閉管路が接続され、閉管路に、気体出入口側に可撓性を有する部分と、ランプ内空間の気体を強制的に循環させる送風装置と冷却する冷却装置とを備え、ランプが光学ユニットに対し一体に位置決めされ、送風装置と冷却装置とを筐体の側に固定したものである。
【００１０】
このように構成した本発明リアプロジェクションディスプレイ装置によれば、ランプが光学ユニットに位置決めされ一体に組み込まれるため、光学ユニットの調整に際し、光源の位置と、光学ユニットとの相対的位置が変化することがなく、また、送風装置と冷却装置が筐体の側に固定され、可撓性を有する部分を備えた管路でランプと接続されるため、送風装置の振動などが可撓性を有する部分で緩和されてランプの寿命を長くすることができ、送風装置とは独立にランプのみを動かすことができるので光学ユニットの調整を簡便に行うことができる。
【発明の効果】
【００１１】
本発明ランプ冷却装置及びリアプロジェクションディスプレイ装置によれば、ダクトに設けられる可撓性を有する管部を介することで、送風装置とは独立にランプの位置調整を簡便に行うことができる。
【発明を実施するための最良の形態】
【００１２】
本発明の一実施の形態の例を図１〜図３３を参照して説明する。
図１は、本例のリアプロジェクションディスプレイ装置の正面側から見た斜視図を示し、図２はリアプロジェクションディスプレイ装置の背面側から見た斜視図を示す。また、図３は、リアプロジェクションディスプレイ装置の概略構成を示す分解斜視図である。
本例においては、このリアプロジェクションディスプレイ装置の映像表示画面を例えば５０インチとし、この奥行きを例えば３０ｃｍと薄く作製されている。
【００１３】
図１〜図３で１はリアプロジェクションディスプレイ装置を示し、リアプロジェクションディスプレイ装置１は、図３に示すように、リアプロジェクションによるスクリーン３を前面に備えたディスプレイユニット２に対して、前面側からアウターフレーム４とカバーフレーム６、背面側からリアーカバー５が設けられる。ここで、アウターフレーム４とカバーフレーム６とリアーカバー５とがリアプロジェクションディスプレイ装置のキャビネット（外箱）を構成している。
スクリーン３は、表面が無光沢処理され裏面にレンチキュラーシートが張り付けられた前面側透明ガラスプレートと、背面の側にフレネルレンズシートが張り付けられた背面側透明ガラスプレートとが所定の間隙を保つように作製されたものである。
そして、図１に示すように、前面側のスクリーン３の周囲に矩形枠状のカバーフレーム６が配され、さらにその周囲に横長矩形枠状のアウターフレーム４が配設され、背面側にリアーカバー５がディスプレイユニット２を覆うように設けられる（図２参照）。
なお、図１で７はリアプロジェクションディスプレイ装置の脚部カバーである。また、図３で２ｃはディスプレイユニット２の前面下側に設けられる調整孔であり、後述する光学ユニット５０の位置調整を行うための調整ねじを差し込むためのねじ挿通孔１１ｊである。
【００１４】
また、リアプロジェクションディスプレイ装置１の背面側に設けられるリアーカバー５には、図２に示すように、上部にミラー調整部蓋５ａが設けられるとともに、図示しない電気回路ユニットを収納する箱状凹部のカバー５ｂと、ディスプレイユニット２のランプハウス５８内に設けられる後述するラジエータ１００を冷却する空冷ファンユニット５７に対応する位置に空冷ファンカバー５ｃが設けられる（図５参照）。
ここで、ミラー調整部蓋５ａは、後述する投影ミラー３０の調整の際に開けて後述するミラー保持プレート３４を露呈させるものである。また、ラジエータ１００は、後述するランプ９０に吹き付けられて昇温した空気を、より低温の空気との間で熱交換して冷却するものである。
さらに、アウターフレーム４とリアーカバー５の左右との間に形成される縦長の領域には、図２に示すように、前面側に化粧パネルを一体に設けたスピーカーユニット８，８が設けられる。
【００１５】
次に、図３に示すディスプレイユニット２を図４〜図９を参照して説明する。
図４はディスプレイユニット２を前面側から見た斜視図であり、図５は背面側から見た斜視図で、図６は背面側から見たディスプレイユニット２のフレーム構造体の斜視図である。
ディスプレイユニット２は、図４に示すように、底面側に配される横長のボトムフレーム１１と、このボトムフレーム１１の左右に立設される左右サイドフレーム１２，１３と、これらサイドフレーム１２，１３の上端側に設けられるトップフレーム１４とにより形成された略矩形枠にスクリーン３が設けられ、外れないようにスクリーン３の外周を４つのスクリーン押え９ａ，９ｂ，９ｃ，９ｄで押えるようにしている。なお、図４でミラー軸受２ａ，２ｂは後述する投影ミラー３０に設けられる軸ピース３８のシャフト３８ａに係合するものである。
【００１６】
また、ディスプレイユニット２は、図５に示すように、ボトムフレーム１１の背面側に、ランプハウス５８と空冷ファンユニット５７とを含み、ランプの光を光の三原色であるＲ（赤），Ｇ（緑），Ｂ（青）に分解し図示しない３つの液晶パネルを介して３色の映像を生成したのち合成し、投影窓５１から投射する光学ユニット５０が設けられる。３つの液晶パネルとしては、本例においては反射型の液晶画像表示パネルを使用してある。なお、図５で５２は光学ユニット５０に内蔵される３つの液晶パネルの映像を制御するための投影制御回路基板である。
また、ディスプレイユニット２は、図５に示すように、その背面側で左サイドフレーム１２とボトムフレーム１１との間に左フレームサポート１６と、右サイドフレーム１３とボトムフレーム１１との間に右フレームサポート１５とが設けられ、また、左右サイドフレーム１２，１３とボトムフレーム１１との間に、光学ユニット５０から漏れた光のスクリーン３への影響回避と補強を兼ねた遮光板１８が設けられる。
【００１７】
そして、ディスプレイユニット２は、図５に示すように、左右サイドフレーム１２，１３の上端部に曲げ加工された板金によるミラーサポート１７が設けられる。このミラーサポート１７は、その上面から見た曲げ形状が、トップフレーム１４によって台形形状の枠を形成するようになされる。そして、トップフレーム１４とミラーサポート１７との略中央に橋状にミラー固定板１９が設けられる（図６）。なお、このミラー固定板１９に後述するミラー保持プレート３４が係合して図７Ａ及びＢに示す投影ミラー３０が位置決め固定される。
【００１８】
このように構成されたディスプレイユニット２のスクリーン３への投影原理を説明する。
図８は、光学ユニット５０周りでの、図５に示す投影窓５１の中心における断面図である。上述した３つの液晶パネルにより形成されたＲ，Ｇ，Ｂの光の映像は合成されたのち、図８に示す紙面の手前から奥側の平面ミラー５２に向かって投射され、この平面ミラー５２で光路を略９０°曲げられて凸面ミラー５３に入射する。そして、光路全体を示す図９のように、この凸面ミラー５３で反射された映像を伴う光は、非球面ミラー５４でさらに反射されて投影窓５１を透過して、投影ミラー３０の平面ミラー３１で反射され前面側のスクリーン３に投影するようになされる。
ここで、平面ミラー５２と凸面ミラー５３と非球面ミラー５４とからなる組合わせミラーが投射ミラーである。
【００１９】
本例のディスプレイユニット２では、図９に示すように、ディスプレイユニット２の高さと、前面のスクリーン３から光学ユニット５０内の平面ミラー５２までの奥行き距離との比が１０：３程度と、奥行きに比べ高さが大で平面ミラー５２への投影方向と水平方向となす角が、従来のリアプロジェクションディスプレイ装置と比べ極めて大きい。
このため、図６に示すフレーム構造体の僅かな変形が、スクリーン３上に投影された映像のゆがみやぼけを生じさせてしまうため、本例のディスプレイユニット２では、ユーザの設置場所への移動後にも、スクリーン３に投影される映像の微調整を容易に行うことができることが必須となる。
一方、近年のリニアプロジェクションディスプレイ装置は、室内が比較的明るくても映し出される映像が見易いようにランプの輝度向上、すなわちランプ出力が増大化している。このようなことから、本例のディスプレイユニット２では筐体内に、ランプで暖められた空気を冷却するための冷却装置であるラジエータとこの空気を強制循環させるための送風装置とを備えたランプ冷却装置を設けている。
【００２０】
以下、本例のディスプレイユニット２のフレーム構造と、投影ミラー３０と、光学ユニット５０と、この光学ユニット５０に設けられるランプを空冷するランプ冷却装置を、順を追って説明する。
【００２１】
初めに本例のディスプレイユニット２でのフレーム構造体を図１，図４，図６，図１０〜図１５、図２４を参照して説明する。
図１０は、図６に示すフレーム構造体のうち、ボトムフレーム１１と左右サイドフレーム１２，１３とトップフレーム１４を一部省略して示す斜視図である。また、図１１Ａ〜Ｄはフレームの断面形状を示し、図１１Ａはトップフレーム１４、図１１Ｂは右サイドフレーム１３、図１１Ｃは左サイドフレーム１２、図１１Ｄはボトムフレーム１１の断面図である。
これらのフレーム１１，１２，１３，１４はアルミニウムなどの合金を断面形状が、図１０及び図１１Ａ〜Ｄに示すように、均一になるように金型から押出して棒状あるいは板状に成形したものであり、ここで左右のサイドフレーム１２，１３は同じ金型による押出し材である。
【００２２】
ボトムフレーム１１は、図１１Ｄに示すように、略Ｌの字の底面に配される側に仕切り壁により断面形状が略矩形の４つの空間領域Ａ〜Ｄを設け、略Ｌの字の立上り面に断面形状が略矩形の１つの空間領域Ｅを設ける。そして、図１１Ｄに示す４箇所に、後述する固定ねじ１０ａ用の内面が略円筒面をなすねじ挿通溝１１ａ，１１ｂ，１１ｃ，１１ｄを一体に設ける。また、ボトムフレーム１１の図１１Ｄに示す空間領域Ｅの上部の面１１-1に板状突起１１ｅが紙面に垂直方向に形成され、この面１１-1と板状突起１１ｅの面１１-2とにスクリーン３が載置される。
また、ボトムフレーム１１の断面の仕切り壁には、肉厚部１１ｈ，１１ｉが形成され、さらに、ボトムフレーム１１の図１１Ｄに示す左側に板状部１１ｆが延設される。なお、この肉厚部１１ｈ，１１ｉには、サイドフレーム１２，１３を位置決めするための後述するスプリングピン１０ｂが立設され、板状部１１ｆは、脚部をなすもので図１に示す脚部カバー７によって覆うようにされる。
また、図１１Ｄに示す空間領域Ｅの側壁１１-4，１１-5の下側に、光学ユニット５０の後述する調整ねじ８２のねじ挿通孔１１ｊ，１１ｋが設けられる（図６，図１０参照）。ここで、ねじ挿通孔１１ｊの径は調整ねじ８２の頭部径より大きく、ねじ挿通孔１１ｋの径は調整ねじ８２のねじ径より大きく、頭部径より小さく形成され、ねじ挿通孔１１ｊ，１１ｋのそれぞれの中心が略一致するように穿孔される。
また、図１１Ｄに示す領域Ｃの、面１１-3上には位置決め孔１１ｍ（図６，図１０参照）と、底壁１１-6にねじ孔１１ｎとが互いに対向する位置に設けられる。この位置決め孔１１ｍは光学ユニット５０の回転基準となる、後述する回転軸７０が嵌めこまれるものである（図２４参照）。
さらに、面１１-3上で位置決め孔１１ｍの周りに、図２４に示すように、３つのねじ孔１１ｏが設けられる。この３つのねじ孔１１ｏは、光学ユニット５０をボトムフレーム１１の面１１-3上に装着するときに用いられる。
【００２３】
左サイドフレーム１２は、図１１Ｂに示すように、断面が略矩形の筒の略中央に仕切り壁により２つの空間領域Ｆ，Ｇを設け、領域Ｆの側に凹となる溝１２ａを形成し、領域Ｇの外壁に内面が略円筒面をなす溝１２ｂを形成する。そして、図１０に示すように、左サイドフレーム１２の上部に２つの固定ねじ１０ａのねじ挿通孔と２つのスプリングピン１０ｂの挿通孔が設けられ、下部に３つの固定ねじ１０ａのねじ挿通孔と２つのスプリングピン１０ｂの挿通孔が設けられる。
ここで、左サイドフレーム１２の上部に設けられる２つの固定ねじ１０ａのねじ挿通孔は、後述するトップフレーム１４のねじ挿通溝１４ｂ，１４ｃに対応する位置に、また、２つのスプリングピン１０ｂの挿通孔は、後述するトップフレーム１４の肉厚部１４ｄ，１４ｅに対応する位置に設けられる（図１１Ａ参照）。
また、下部に設けられる３つのねじ挿通孔は、ボトムフレーム１１のねじ挿通溝１１ｂ，１１ｃ，１１ｄと対応する位置に、また、２つのスプリングピン１０ｂの挿通孔は、ボトムフレーム１１の肉厚部１１ｈ，１１ｉに対応する位置に設けられる（図１１Ｄ参照）。
【００２４】
同様に、右サイドフレーム１３も、図１１Ｃに示すように、断面が略矩形の筒の略中央に仕切り壁により２つの空間領域Ｆ'，Ｇ'を設け、領域Ｆ'の側に凹となる溝１３ａを形成し、領域Ｇ'の外側に溝１３ｂを形成する。そして、計５個のねじ挿通孔と計４個のスプリングピンの挿通孔が所定位置に設けられる。  
なお、左右サイドフレーム１２，１３の溝１２ａ，１３ａは、上述図４に示す左右のスクリーン押え９ｂ，９ｃの長手方向の一辺に設けられる折り曲げ部が装着され、溝１２ｂ，１３ｂは、柔軟な発泡性樹脂フォームによるシール材を装着するために用いられる（図１５参照）。
【００２５】
トップフレーム１４は、図１０及び図１１Ａに示すように、断面が略逆Ｌ字形状に形成され、略水平に保持される側の下面の２箇所に内面が略円筒面をなす固定ねじ１０ａのねじ挿通溝１４ｂ，１４ｃを一体に設ける。また、トップフレーム１４の図１１Ａに示す左側の垂下面１４-1の下側に、この垂下面１４-1と直交するように面１４-2が形成される。そして、この面１４-2に対して直交する面１４-3を有する断面が略逆三角形の突起１４ｆが紙面に垂直方向に形成され、突起１４ｆの面１４-3に当接するようにスクリーン３が配設される。
また、トップフレーム１４には、肉厚部１４ｄ，１４ｅが形成され、トップフレーム１４の図１１Ａに示す突起１４ｆの上側に円筒面凹溝１４ａが形成される。なお、円筒面凹溝１４ａは、投影ミラー３０の回動の摺動面となり、肉厚部１４ｄ，１４ｅには、サイドフレーム１２，１３を位置決めするためのスプリングピン１０ｂ，１０ｂが立設される。
【００２６】
このように構成されたフレーム１１，１２，１３，１４は、先ず、図１０に示すボトムフレーム１１の端側面部に設けられたねじ挿通溝１１ｂ，１１ｃ，１１ｄに、左右サイドフレーム１２，１３の下部に設けられた各々３つのねじ挿通孔を介して固定ねじ１０ａを螺入して、ボトムフレーム１１と左右サイドフレーム１２，１３とを仮固定する（図１２参照）。そして、トップフレーム１４の端側面部に設けられたねじ挿通溝１４ｂ，１４ｃに、左右サイドフレーム１２，１３の上部に設けられた各々２つのねじ挿通孔を介して固定ねじ１０ａを螺入して、トップフレーム１４を左右サイドフレーム１２，１３に仮固定する（図１３参照）。
そして、図６に示すように、ボトムフレーム１１と右サイドフレーム１３との間に筋交い状に右フレームサポート１５を固定ねじ１０ａで仮固定し、ボトムフレーム１１と左サイドフレーム１２との間に左フレームサポート１６を固定ねじ１０ａで仮固定する（図１４参照）。
ここで、右フレームサポート１５と左フレームサポート１６は、ディスプレイユニット２の上側から見たときトップフレーム１４に対して例えば略４５°をなすようにボトムフレーム１１との間で筋交い状に設けられ、本固定後に、図５に示すｘ方向の変形力とｙ方向の変形力に対する剛性を高めるようにしている
これにより、スクリーン３が設けられる、フレーム１１，１２，１３，１４からなる略矩形形状のスクリーン枠が形成され、このスクリーン枠が倒れないように支持する左右フレームサポート１５，１６によるフレーム構造体が形成される。
なお、図１２で脚部プレート２５は、ボトムフレーム１１の板状部１１ｆの下部に設けられ、図１に示す脚部カバー７を取り付けるために設けられる板金である。
【００２７】
このように仮固定された、フレーム１１，１２，１３，１４と左右フレームサポート１５，１６とからなるフレーム構造体のスクリーン枠は、例えば図示しない組立治具などによってボトムフレーム１１の図６に示す面１１-3に対して左右サイドフレーム１２，１３が垂直で、ボトムフレーム１１の図１１Ｄに示す面１１-2と、左サイドフレーム１２の図１１Ｂに示す面１２-1と、右サイドフレーム１３の図１１Ｃに示す面１３-1と、トップフレーム１４の図１１Ａに示す面１４-1とが同一平面をなすように、固定ねじ１０ａで本固定する。
【００２８】
そして、この本固定状態を、固定ねじ１０ａの緩みが生じても維持できるように、左右サイドフレーム１２，１３のそれぞれの上下側に設けられた計４個のスプリングピンの挿通孔の側からドリルなどで、ボトムフレーム１１の肉厚部１１ｈ，１１ｉとトップフレーム１４の肉厚部１４ｄ，１４ｅに、元の挿通孔より大きい穴を穿設する。
そして、この肉厚部１１ｈ，１１ｉ，１４ｄ，１４ｅの穴に立設したスプリングピン１０ｂにより左右サイドフレーム１２，１３に対してボトムフレーム１１とトップフレーム１４が緩みなく位置決めされるようにする。ここで、スプリングピン１０ｂを立設する穴の穿設のとき、ドリルの径は元のスプリングピン挿通孔より大きなものを用い、加工後のスプリングピンの挿通孔の孔径と肉厚部１１ｈ，１１ｉ，１４ｄ，１４ｅの穴径が同じになるようにし、この穴に立設したスプリングピン１０ｂと左右サイドフレーム１２，１３とにがたがないようにする。
そして、左右フレームサポート１５，１６についてはフレーム全体に対して大きな力が加えられても、僅かな変形に止めることができるように、図１４に示すように、リベット１０ｃなどにより固定し補強する。ここで左右フレームサポート１５，１６の補強をねじで行わないのは、左右フレームサポート１５，１６の固定が、押出し材による左右サイドフレーム１２，１３とボトムフレーム１１の比較的薄肉の側壁面に対して行われるため、大きな変形力に対して十分なねじによる締結強度が得られないためである。
【００２９】
また、フレーム１１，１２，１３，１４からなるスクリーン枠の下部に、図６及び図８に示すように、スクリーンへの漏れた光を遮光し、スクリーン枠の図示の矢印方向の変形を抑える補強板を兼ねる遮光板１８を設ける。ここで、遮光板１８は比較的薄い板金で作製され、剛性を向上させるため、図６に示すように長円凹部が複数形成され、上下には折り返しの曲げ加工が施される。
また、左右サイドフレーム１２，１３の上部には、上述のようにミラーサポート１７が固定され、トップフレーム１４との間にミラー固定板１９が設けられる。
以上で、本例のディスプレイユニット２におけるフレーム構造体が組み上げられる。
【００３０】
このように構成した本例のリアプロジェクションディスプレイ装置でのフレーム構造体では、アルミニウム合金などによる金属の押出し材による断面形状が均一で、軽量かつ高剛性のボトムフレーム１１、左右サイドフレーム１２，１３、トップフレーム１４を用いて、スクリーン３を固定するスクリーン枠を構成する。この際、ボトムフレーム１１とトップフレーム１４の断面に設けられた、固定ねじ用のねじ挿通溝１１ａ〜１１ｄと肉厚部１１ｈ，１１ｉに対して固定ねじ１０ａとスプリングピン１０ｂが挿通され、スクリーン枠が緩みなく高精度に組み立てられる。
そして、このスクリーン枠の変形を抑えるために左右フレームサポート１５，１６が、ボトムフレーム１１と左右サイドフレーム１２，１３を筋交い状に配されてフレーム構造体を強固にしている。
そして、スクリーン枠を構成するボトムフレーム１１の面１１-1，１１-2（図１１Ｄ）とトップフレーム１４の面１４-3（図１１Ａ）で位置決めされるようにスクリーン押え９ａ，９ｂ，９ｃ，９ｄで押えて緩衝シート３ａが周縁に設けられたスクリーン３が設けられる（図１５参照）。
【００３１】
また、スクリーン枠の上部には、投影ミラー３０の精度を維持するため、左右サイドフレーム１２，１３に対して、略中央にミラー固定板１９（図６）を有するミラーサポート１７が設けられ剛性が確保されるようにしている。そして、トップフレーム１４に一体に設けられた円筒面凹溝１４ａ（図１１Ａ）で投影ミラー３０の一端側が回動自在に、他端側が投影ミラー３０のミラー保持プレート３４（図７）で所定の傾斜角度を有するように組み込まれる。
【００３２】
次に、フレーム側における投影ミラー３０を取り付けるための構造を、図１６〜図１８を参照して説明する。
【００３３】
ミラー固定板１９は、分解斜視図である図１６に示すように、鉄などの板金の曲げ加工により略線対称形状に作製されるものである。そして、上から見て略長方形で、長方形の一端部側の横断面がコの字形状をなし、長方形の中央部については横断面がコの字の端縁に折り曲げ部を設けた形状をなすように曲げ加工される。また、ミラー固定板１９の他端部側は、略矩形形状の開孔１９ｃが設けられ、図１６に示すように、折り曲げ加工される。
そして、長方形の一端部側にトップフレーム１４と固定するための３つのねじ挿通孔１９ａを設け、略中央で長方形の長手方向の中心線上に比較的大きな幅のスリット孔１９ｄと、長孔１９ｆと、ねじ孔１９ｇを設け、中心線を挟んでスリット孔１９ｄの両側に２つのスリット孔１９ｅを設け、他端部側の曲げ加工部にミラーサポート１７と固定するための６つのねじ孔１９ｂを設ける。
【００３４】
図１６で符号２０は、ステンレス鋼などの弾性を有する板金の曲げ加工で作製される仮サポートを示し、この仮サポート２０には係合爪２０ａと大きな丸孔２０ｂと小さな丸孔２０ｃと２つの折り返し２０ｄが設けられる。ここで、２つの折り返し２０ｄは、ミラー固定板１９の２つのスリット孔１９ｅに挿着できる大きさに作製され、折り返し２０ｄの挿着状態で、大きな丸孔２０ｂが長孔１９ｆと、小さな丸孔２０ｃがねじ孔１９ｇと対応する位置に設けられる。また、大きな丸孔２０ｂの径は、後述する調整ねじ２１がミラー固定板１９の長孔１９ｆ内で移動しても調整ねじ２１のフランジ部２１ａと干渉しない大きさに形成され、小さい丸孔２０ｃは固定ねじ２３のねじ径より大きく形成される。
【００３５】
また、図１６で符号２１は、調整ねじを示し、この調整ねじ２１は例えば六角穴付きボルトのねじ頭部に円形のフランジ部２１ａが一体に形成された形状をなし、フランジ部２１ａの径と厚さが、仮サポート２０の大きな丸孔２０ｂの径より小さく、仮サポート２０の板厚より厚く形成される。この調整ねじ２１は細目ねじとされ、そのねじピッチは、例えば０．２ｍｍとされる。
また、図１６で符号２２は、仮サポート２０を固定するための固定プレートを示し、この固定プレート２２には大小２つの丸孔２２ａ，２２ｂと一端に縦断面が略Ｚ字形状となるような折り曲げ部２２ｃが形成される。そして、大小の丸孔２２ａ，２２ｂは、仮サポート２０の大小の丸孔２０ｂ，２０ｃと対応する位置で、大きい丸孔２２ａは、調整ねじ２１の頭部の径より大きく、小さい丸孔２２ｂは固定ねじ２３のねじ径より大きく形成される。
【００３６】
このように構成されるミラー固定板１９は、上述のようにトップフレーム１４とミラーサポート１７との略中央に橋状に設けられる（図６）。そして、ミラー固定板１９は、図１８に示すように、３つのねじ挿通孔１９ａが設けられた側が、下方から螺入された３つの固定ねじ２９によってトップフレーム１４と固定され、開孔１９ｃと６つのねじ孔１９ｂとが設けられた側が、ミラーサポート１７と６つのねじ３２で固定される。
これにより、ミラー固定板１９は、トップフレーム１４とミラーサポート１７に対して固定されるとともに、板金の折曲げ加工によるミラーサポート１７の変形を抑える補強部材の役割も担うものとなる。
【００３７】
ところで、上述した仮サポート２０，調整ねじ２１，固定プレート２２，固定ねじ２３は、投影ミラー３０をトップフレーム１４とミラーサポート１７に組み込む際に、所定の手順で用いられる。ここで、ミラー固定板１９への各部品の組み込み手順を簡単に説明する。
すなわち、図１６に示すように、先ず、仮サポート２０の折り返し２０ｄ，２０ｄをミラー固定板１９のスリット孔１９ｅ，１９ｅに挿着してから調整ねじ２１を長孔１９ｆに挿通する。このとき、調整ねじ２１のフランジ部２１ａは、仮サポート２０の大きな丸孔２０ｂ内で干渉しないように配される。次に、固定プレート２２の折り曲げ部２２ｃを、その折り曲り部がミラー固定板１９のスリット孔１９ｄに引っ掛かるように装着してから固定ねじ２３を、丸孔２２ｂ，２０ｃに挿通してミラー固定板１９のねじ孔１９ｇに螺入し、調整ねじ２１のフランジ部２１ａを固定プレート２２で押付け、調整ねじ２１が緩まないように固定する。つまり、調整ねじ２１を回すときは、固定ねじ２３を緩めてフランジ部２１ａへの押え力を解放した状態で行い、その後固定ねじ２３を締めて調整位置を保持するようにしている。
【００３８】
次に、投影ミラー３０を、図５，図７Ａ及びＢ，図１７〜図２１を参照して説明する。
ここで、図７Ａは投影ミラー３０を上面側から見た斜視図、図７Ｂは投影ミラー３０を反転して上方から見た斜視図である。図１７はミラー保持プレート３４の外観斜視図であり、図１８は図７に示す投影ミラーのトップフレームへの装着直前の状態、図１９は投影ミラーの取付状態で投影ミラー３０の中心軸で断面した断面図である。図２０は、図７Ａに示す投影ミラー３０を中心軸で断面した断面図である。また、図２１Ａは左サポートピースの上面側から見た斜視図で、図２１Ｂは左サポートピースを反転して上方から見た斜視図で、図２１Ｃは押えピース、図２１Ｄは軸ピースの斜視図である。
【００３９】
投影ミラー３０は、図７Ａ及びＢに示すように、反射面３１-1を有するガラスプレートからなる平面ミラー３１と、長短２つの保持フレーム３２，３３と、ミラー保持プレート３４と、左右サポートピース３５，３６と、４つの押えピース３７及び３つの軸ピース３８，３８，３９、帯状のミラー保護シート３２ｃ，３３ｃ（図２０参照）などから構成される。
平面ミラー３１は、図７Ａ及びＢに示すように、短冊状長方形の対向する２長辺のうちの１長辺で、この１長辺の２短辺側の２隅部に直角三角形切欠きを設けた形状をなしたガラスプレートであり、このガラスプレートの片面に反射膜が形成される。ここで、反射膜は、ガラスプレートに対し例えばアルミニウムなどの金属を蒸着させることで成膜される。
【００４０】
長い保持フレーム３２は、図２０の斜線で示すように、断面が略コの字形状をなし、溝を有するアルミニウム合金などによる押出し材からなるフレームであり、長さが平面ミラー３１の長辺と略同じで、溝幅が平面ミラー３１より大きく成形される。そして、所定位置に図示しないねじ孔が設けられる。
また、短い保持フレーム３３は、アルミニウム合金などによる押出し材からなり、図２０の斜線で示すように、断面が略ｙの字形状をなし大小２つの溝３３ａ，３３ｂを有するフレームであり、長さが平面ミラー３１の長辺に対向する切欠き側の辺の長さと略同じで、大きい溝３３ａの溝幅が平面ミラー３１の厚さより大きく成形される。そして、所定位置に図示しないねじ孔が設けられる。なお、小さい溝３３ｂの２つの側壁３３-1，３３-2は、保持フレーム３３の剛性を大きくし変形しにくくするための補強リブとして形成される。
【００４１】
ミラー保持プレート３４は、図７Ａに示すように、２つの保持フレーム３２，３３をその略中央で固定するものである。このミラー保持プレート３４は、図１７に示すように、線対称の略長方形をなし凹凸形状を有する複雑な形状で、図２０に示すように薄肉構造を有するため、ダイカスト法によるアルミニウム合金などの鋳物で成形後、その所定部位を最終仕上げ加工して作製される。
ミラー保持プレート３４は、図１７に示すように、先ず、２つ細長の箱を横並びで平行に並べ、この２つの箱の上縁部に対して、奥行きが箱の長辺より大きく形成され、幅が横並びの２つの箱の上縁部での最外幅と略同じ大きさで形成される。そして、その上側に面３４-4をなす平板を一体に設け、２つの箱の底面を露呈させるようにする。このとき、面３４-4の図１７に示す奥側に張り出し部３４ｐと、手前側に平面部３４ｏ，３４ｏを形成する。
そして、さらにミラー保持プレート３４は、図１７に示す手前側半分の外周縁が上方に延設されて側壁を形成し、面３４-4の２つの箱間の、領域Ｓに続く図１７に示す手前側に斜面３４-3が形成された形状とされる。
【００４２】
ミラー保持プレート３４の上面側には、図１７に示すように、中心線上で斜面３４-3上に設けられる略円筒形状のスプリングガイド３４ｄと、このスプリングガイド３４ｄの円筒形状部の中心軸に対して設けられるねじ孔３４ｅと、略矩形をなす開孔３４ｈと、被係合部３４ｆが配される。また、線対称の中心線を挟んで図１７に示す、張り出し部３４ｐには断面が三角形形状をなす補強突部３４ｇが設けられ、また、スプリングガイド３４ｄを挟むように両側面の上側に略長方形で羽根状の把手３４ｃ，３４ｃが設けられる。
ここで、スプリングガイド３４ｄの中心軸は、図２０に示すように、平面ミラー３１に対して僅か傾けて設けられ、このとき傾斜角は中心軸が、図１９に示す投影ミラー３０の取付状態で、ミラー固定板１９の上面に対し略直交する角度に設定される。また、開孔３４ｈは、上述仮サポート２０の係合爪２０ａが自在に挿抜できる幅とされ、被係合部３４ｆは、係合爪２０ａが図１９に示す装入状態とする過程で係合爪２０ａの先端と接触する位置に設けられる。
【００４３】
ミラー保持プレート３４の図１７に示す張り出し部３４ｐは、その下面３４-2が平面仕上げ加工され、ねじ挿通孔３４ｂ、３４ｂが設けられる。また、ミラー保持プレート３４の被係合部３４ｆと平面部３４ｏ，３４ｏが形成される側は、平面部３４ｏ，３４ｏの下面３４-1が平面仕上げ加工され、ねじ挿通孔３４ａ、３４ａが設けられる。
なお、張り出し部３４ｐの下面３４-2を基準にして上述保持フレーム３２が固定され、開孔３４ｈ側の下面３４-1を基準にして上述保持フレーム３３が固定される。
【００４４】
互いに対称形状をなす左右サポートピース３５，３６は、図７Ａ及びＢに示すように、長い保持フレーム３２の左右端部に設けられ、平面ミラー３１が保持フレーム３２の溝から抜け落ちないように保持するものである。
サポートピースを、左サポートピース３５を例に説明する。左サポートピース３５は、図２１Ａに示すように、プラスチック成形により上面３５-1に補強リブ３５ｆが複数形成され、図２１Ｂに示すように、下面３５-2が略平坦とされ、この面３５-2に対して側壁３５ａが立設され、さらに側壁３５ａから面３５-2に平行に矩形片３５ｃが突設される。また、ねじ挿通孔３５ｂ，３５ｂが設けられる略長方形片３５ｄ，３５ｄと、矩形片３５ｅの図２１Ｂに示す上側の面が面３５-2に対して段差をもつように突設される。
そして、この図２１Ｂに示す面３５-2の側が、上述平面ミラー３１のガラス面３１-2側と所定の間隙をもって対向するように保持される。
【００４５】
押えピース３７は、図７Ａに示すように、保持フレーム３２，３３のそれぞれに２つずつ設けられるもので、平面ミラー３１が保持フレーム３２，３３の溝内で大きながたを生じることなく保持するために設けられる。
押えピース３７は、図２１Ｃに示すように、プラスチック樹脂などにより複数のリブを設け軽量で比較的変形しにくい構造に成形される。そして、押えピース３７の図２１Ｃに示す手前の略三角形の補強リブ３７ｂが設けられる側の下面３７-1と、ねじ挿通孔３７ｃと三角形の補強突部３７ａが設けられる奥側の下面３７-2とが段差をもつようになされる。この段差は、図７Ａに示すように押えピース３７が保持フレーム３２，３３にねじ固定されたときに、図７Ａに示す上側に露呈される平面ミラー３１のガラス面３１-2と、面３７-1との間に僅かの間隙ができるような寸法に形成される。
【００４６】
軸ピース３８，３８，３９は、図７Ｂに示すように、投影ミラー３０の平面ミラー３１の反射面３１-1の側の保持フレーム３２に設けられ、保持フレーム３２の略中央に軸ピース３９、両端部に軸ピース３８，３８が設けられる。
軸ピース３８，３９は、図２１Ｄに示すように、略半円柱形状をなし円柱側面部に３つの座ぐり付きのねじ挿通孔３８ｂが設けられる。そして、軸ピース３８では、柱の一端側で半円の中心に細長のシャフト３８ａが突設され、軸ピース３９ではこのシャフトが省かれた形状とされる。
【００４７】
このように構成された投影ミラー３０は、先ず、保持フレーム３２に図７Ｂに示す軸ピース３８，３８，３９と左サポートピース３５をねじ固定したのち、この保持フレーム３２をミラー保持プレート３４に固定する。このとき、ミラー保持プレート３４の中心線と保持フレーム３２の長手方向が直交するように固定する。
次に、平面ミラー３１の長辺の端縁にミラー保護シート３２ｃ（図２０）を配した状態で、保持フレーム３２のコの字溝に平面ミラー３１を嵌め込むとともに、左サポートピース３５に平面ミラー３１の短辺側の一端を当接させる。このとき、ミラー保持プレート３４の側にガラス面３１-2を配するようにする。
次に、長辺と平行な辺の端縁にミラー保護シート３３ｃ（図２０）を配した状態の平面ミラー３１に、保持フレーム３３の溝幅の大きい方の溝を嵌め込み、この保持フレーム３３とミラー保持プレート３４とをねじで固定する。
最後に、右サポートピース３６を、平面ミラー３１の短辺側の他端を当接させるようにして、右サポートピース３６を保持フレーム３２にねじで固定する。
これにより、図７Ａ及びＢに示す投影ミラー３０が組み上がる。
【００４８】
次に、この図７Ａ及びＢに示すように組み上げられた投影ミラー３０のフレーム構造体への組付けを、図６，図７，図１６，図１８，図１９，図２２，図２３を参照して説明する。
先ず、投影ミラー３０のトップフレーム１４への取付け手順を説明する。
【００４９】
初めに、図７Ａに示すように、投影ミラー３０のミラー保持プレート３４の側を上とし、長い保持フレーム３２の側を前方に向け、ミラー保持プレート３４の２つの把手３４ｃを手で把持する。
そして、ミラー保持プレート３４を把持した状態で、図１８に示す矢印のように、先ず矢印Ａの斜め上方に投影ミラー３０を持ち上げて前進させ、前方に配される長い保持フレーム３２の下に設けられる軸ピース３８，３８，３９がトップフレーム１４の垂下面１４-1裏側の肉厚部１４ｅの上面に当接するようにする。次に、さらに投影ミラー３０を矢印Ａの方向に移動させて軸ピース３８，３８，３９を肉厚部１４ｅの上面部を乗り越えさせ、そののち矢印Ｂのように下降させて、軸ピース３８，３８，３９を、トップフレーム１４の円筒面凹溝１４ａに装着する。
これにより、投影ミラー３０は、平面ミラー３１の反射面３１-1が下向きとされ、また、その保持フレーム３２の側がトップフレーム１４に対して回動自在に係合するように組み付けられる。
【００５０】
次に、投影ミラー３０のミラー固定板１９への取付けとこの際の位置調整について、図６，図１６，図１９，図２２，図２３を参照して説明する。
【００５１】
初めに、ミラー固定板１９に、一部破断して示す斜視図の図２２に示すように、仮サポート２０（図１６参照）を載置する。そして、投影ミラー３０の保持フレーム３２側を、トップフレーム１４の円筒面凹溝１４ａに対して回動自在に装着した図２２に示す状態で、ミラー保持プレート３４のスプリングガイド３４ｄに圧縮コイルばね４０を装着する。
次に、把手３４ｃ，３４ｃを保持しながら投影ミラー３０を回動し、ミラー保持プレート３４の略矩形の開孔３４ｈに仮サポート２０の係合爪２０ａを差し込むようにする（図１９参照）。このとき、ミラー保持プレート３４の被係合部３４ｆが仮サポート２０の係合爪２０ａで掛止されるため、ミラー保持プレート３４の把手３４ｃ，３４ｃから手を離しても投影ミラー３０所定位置に保持される。  
次に、調整ねじ２１を、仮サポート２０の丸孔２０ｂとミラー固定板１９の長孔１９ｆを挿通してミラー保持プレート３４のスプリングガイド３４ｄに設けられるねじ孔３４ｅに螺入する（図１６，図１９，図２２参照）。
【００５２】
次に、例えば仮サポート２０の係合爪２０ａに設けられた目盛を目安にしながら調整ねじ２１の螺入量を初期の概略位置に調整する（図１９，図２３参照）。この螺入量の調整により、投影ミラー３０のトップフレーム１４の円筒面凹溝１４ａ周りの回動量の微調整を行うことができる。この状態では、調整ねじ２１が圧縮コイルばね４０を介してミラー保持プレート３４のねじ孔３４ｅに螺入されているため、例えば、ミラー保持プレート３４の把手３４ｃ，３４ｃを持ってミラーサポート１７側を持ち上げると、投影ミラー３０は、スプリングガイド３４ｄとミラー固定板１９とが略当接するまで動くようになされる。なお、この段階での調整は、大まかなものでよく、最終的にはディスプレイユニット２が組み上がったとき、ユーザにおける設置場所で行われる。
次に、固定プレート２２をミラー固定板１９に組み込み、固定ねじ２３を固定プレート２２の丸孔２２ｂ，仮サポート２０の丸孔２０ｃに挿通してミラー固定板１９のねじ孔１９ｇに螺入する。これにより、図１９及び図２３に示すように、固定プレート２２とミラー固定板１９とが調整ねじ２１のフランジ部２１ａ（図１６）を挟持し、回転できないように調整位置を固定する。
なお、図２３は、投影ミラーの取り付け完了状態である図１９の、調整ねじ２１が設けられる要部の断面斜視図である。
【００５３】
以上で、投影ミラー３０のミラー保持プレート３４が、図６及び図１９に示すように、トップフレーム１４とミラーサポート１７とを連結するミラー固定板１９に対して位置調整・固定され、投影ミラー３０の平面ミラー３１の傾斜角度が、所定のものとされる。  
ここで、投影ミラー３０の平面ミラー３１を水平面に対して、大きな傾斜角度となる方向に傾けるとスクリーン３上に投影された映像は上側に移動し、より小さな傾斜角度となる方向に傾けると映像は下側に移動するようになされる。
【００５４】
次に、光学ユニット５０と、この光学ユニット５０に設けられるランプを空冷するためのランプ冷却装置を、図２４〜図２９，図３０〜図３３を参照して説明する。  
【００５５】
先ず、光学ユニット５０について図２４，図３０，図３１を参照して説明する。
図３０はランプ９０を示し、図３０Ａはランプ９０の外観斜視図，図３０Ｂは正面図，図３０Ｃは側断面図である。また、図３１は、図２４に示す光学ユニット５０の取り込み部６４と、ランプ冷却装置１５０の組み合わせ状態を示す外観斜視図である（ベースブロック６０、ミラー収納部６１、投影レンズ収納部６２、液晶投影装置６３は省略して示している）。
光学ユニット５０は、斜視図である図２４に示すように、投影窓５１を備えたミラー収納部６１と、このミラー収納部６１に一体に設けられ図示しない投影レンズを収納する投影レンズ収納部６２と、Ｒ，Ｇ，Ｂ三色の異なる映像信号を合成しカラー映像の光を投影レンズ収納部６２に対して出射する液晶投影装置６３と、光源からの光を色調整し白色光を液晶投影装置６３に供給する取り込み部６４と、この取り込み部６４に光を供給するランプ９０（図３０参照）、及びミラー収納部６１の下側に設けられるベースブロック６０とから構成される。
ランプ９０は、ランプ９０周りの斜視図の図３１に示すように、光学ユニット５０の取り込み部６４に対してアダプタ８５を介して位置決めされる。そして、光学ユニット５０の液晶投影装置６３と取り込み部６４とは、図示しない位置決めピンなどにより互いに規定の位置関係を保つように予め組み立てられたのち、ベースブロック６０に位置決め固定され、ミラー収納部６１と投影レンズ収納部６２とは、一体に組み込まれた状態でベースブロック６０に位置決め固定される。
なお、ランプ９０自体は、図３１に示すように、ラジエータ１００と送風装置１１０とダクト１２１，１２３，１３１，１３２、チューブ１２３，１３３とから構成されるに管路に組み込まれ、ランプ９０の内部空間を空気の循環経路の一部とするランプ冷却装置１５０を構成している。ランプ９０とランプ冷却装置１５０については後述する。
【００５６】
そして、光学ユニット５０はそのベースブロック６０が、図２４に示すように、フレーム構造体のボトムフレーム１１上に設けられた回転基準である回転軸７０に回転自在に係合するように装着される。また、光学ユニット５０は、第1の弾性体である圧縮コイルばね６６が設けられた組付けピン６５が、ベースブロック６０の周辺部の３箇所に装着され、ボトムフレーム１１上で光学ユニット５０が浮くことなく回転軸７０の回りに微動できるようにしている。
すなわち、本例のリアプロジェクションディスプレイ装置では、映像の調整は回転軸７０に対して光学ユニット５０のベースブロック６０を回転微動することにより行うようにしている。
ここで、組付けピン６５は、２つのワッシャ６７，６７の間に第1の弾性体である圧縮コイルばね６６が設けられ、ベースブロック６０の周辺部の３箇所に装着したとき、圧縮コイルばね６６の付勢力による大きな押付け力が生じるようにされる。そして、押え機構は、これら組付けピン６５と２つのワッシャ６７，６７と圧縮コイルばね６６とで構成される。
【００５７】
以下、ベースブロック６０を、図２４〜図２８を参照して説明する。
ベースブロック６０はアルミダイキャストにより高精度かつ比較的薄肉に成形されるものである。ベースブロック６０は、平面図である図２５に示すように略矩形形状をなし、大まかには立体形状の異なる２点鎖線で示す３つの領域Ａ〜Ｃからなる。
【００５８】
図２５に示す上側の領域Ａは、略板状をなし図に示す左端にねじ孔６０ｂを有する略円筒形状をなす円筒部６０ｆが一体に設けられる。このねじ孔６０ｂには、図２５を斜め上方から見た斜視図である図２６に示すように、ベースブロック６０がボトムフレーム１１に回動自在に装着された状態で調整ねじ８２が設けられる。
この円筒部６０ｆには、ベースブロック６０の円筒部６０ｆ部分のみを破断して示した分解斜視図である図２７に示すように、図に示す左側に底部が設けられ、その中心にねじ孔６０ｂと、底部周縁に２つの円弧スリット６０ｇ，６０ｇが設けられる。そして、円筒内底部の円弧スリット６０ｇ，６０ｇに対し自由長が比較的長く大きなばね定数を有する第２の弾性体である圧縮コイルばね８１を挟み込んだばね押え８０が装着される。
ばね押え８０は、図２７に示すように、ねじ挿通孔８０ｂを有し、圧縮コイルばね８１の外径より大きく円筒部６０ｆの内径よりも小さい円板８０ａの周縁２箇所に、帯状の板金８０ｃ，８０ｃの一端を一体に設けたのちコの字形状に折り曲げ、板金８０ｃ，８０ｃの他端に折り返し部８０ｄ，３０６ｄを設けたものである。ここで、帯状の板金８０ｃ，８０ｃは略円筒曲面を有するように加工され、折り返し部８０ｄ，８０ｄは円板８０ａの外側に折り返され、折り返し部８０ｄは、円弧スリット６０ｇに挿通できるように形成される。
このため、ばね押え８０の板金８０ｃ，８０ｃに圧縮コイルばね８１を挟持し、折り返し部８０ｄを円筒部６０ｆの円弧スリット６０ｇに挿通して圧縮コイルばね８１を縮めた状態で掛止させると、装着された圧縮コイルばね８１によってばね押え８０の円板８０ａが大きく外側に付勢された状態とすることができる。
なお、圧縮コイルばね８１は、円筒部６０ｆの円弧スリット６０ｇ，６０ｇに対しばね押え８０を装着したとき、圧縮コイルばね８１が所定の圧縮状態となるように自由長が決められる。また、図２７で８２は調整ねじを示し、円筒部６０ｆのねじ孔６０ｂに螺入して光学ユニット５０を回転軸７０の回りに微動させるために用いられる。
【００５９】
図２５に示すベースブロック６０の右下側の領域Ｂは、図２４に示すミラー収納部６１が位置決め載置される略矩形形状の領域であり、図２６に示すように、傾斜面が略矩形形状をなすように隆起させられた後、この傾斜面の周縁をそのままにして中央部に略矩形形状の凹部を設けるように押し下げられた形状をなすものである。従って、領域Ｂの略矩形形状の隆起部分は、図２５に示す上側の隆起辺部６０-2で低く、下側の隆起辺部６０-3で高く形成される。そして、この領域Ｂの低い隆起辺部６０-2の略中央に、回転軸７０の挿通孔６０ａが設けられる。
また、図２５に示す左下側の領域Ｃは、横臥した略三角柱の形状をなす凸部が形成された領域である。そして、この領域Ｃの傾斜面６０-4に、図２４に示す取り込み部６４と液晶投影装置６３とが予め位置決め固定された位置決めブラケット６９が載置される。
【００６０】
そして、ベースブロック６０自体には、図２５に示すように、周辺部に３つのピン挿通孔６０ｃと、領域Ａ及びＢにミラー収納部６１の載置における基準面となる６つの基準面突部６０ｄ-1〜-6が形成され、この基準面突部６０ｄ-1〜-6にはその所定位置にミラー収納部６１との位置決め突起が一体に設けられる。
また、領域Ｃに位置決めブラケット６９の載置における基準面となる３つの基準面突部６０ｄ-7〜-9が形成されこの基準面突部６０ｄ-7〜-9にはその所定位置に位置決めブラケット６９との位置決め突起が一体に設けられる。
そして、領域Ａの円筒部６０ｆのねじ孔６０ｂ及び基準面突部６０ｄ-2の下部と、周辺部の３つのピン挿通孔６０ｃの下部の所定範囲のみベースブロック６０の下側に僅か突設させ、この突設部分に対してベースブロック６０の底面側の基準面を形成する。つまり、ベースブロック６０を装着したとき、突設以外の部分でボトムフレーム１１との間に間隙を設けるようにする。
【００６１】
そして、光学ユニット５０は、回転軸７０と、２つのワッシャ６７，６７の間に圧縮コイルばね６６が設けられた組付けピン６５による３箇所で、図２４に示すように、ボトムフレーム１１に装着され、このときボトムフレーム１１に立設された回転軸７０を中心に回転自在とされる。
ここで、ベースブロック６０のボトムフレーム１１への装着に用いる組付けピン６５は、例えば図２８に示すように、六角穴付きボルトのねじ部６５ａを僅かの範囲のみ残すように加工したもので、ねじ部６５ａはボトムフレーム１１の面１１-3に設けられる図６に示す３つのねじ孔１１ｏに螺入できるように形成され、軸部６５ｂは、ベースブロック６０の３つのピン挿通孔６０ｃの最小径より小さくなるように形成される。また、ワッシャ６７の孔部は、組付けピン６５のねじ部６５ａと係合するねじ孔６７ａとされる。
【００６２】
このため、ベースブロック６０の３つのピン挿通孔６０ｃに組付けピン６５を挿通し、ボトムフレーム１１の３つのねじ孔１１ｏに組付けピン６５のねじ部６５ａを螺入したのちさらに回すことで、組付けピン６５がねじ孔１１ｏから抜けることなく軸部６５ｂとの間に遊びを有するように組み込むことができる。そして、ボトムフレーム１１の面１１-3にベースブロック６０を密着させるように、２つのワッシャ６７，６７の間の圧縮コイルばね６６によって付勢させることができる。
この結果、ベースブロック６０は、回転軸７０を中心に回転自在に装着されるとともに、３つのピン挿通孔６０ｃと組付けピン６５の軸部６５ｂの径の差による遊びにより、所定の角度範囲につき微動させることができる。
つまり、光学ユニット５０のベースブロック６０の周辺部の３つのピン挿通孔６０ｃとボトムフレーム１１とを、ワッシャ６７と組付けピン６５の軸部６５ｂとで挟み込み、圧縮コイルばね６６の反力により圧着させる。これにより、光学ユニット５０の水平方向の自由度を残したまま垂直方向のボトムフレーム１１への密着性を確保し安定した保持状態を得ることができる。
【００６３】
次に、ランプ９０とこのランプ９０を空冷するためのランプ冷却装置を、図３０〜図３３を参照して説明する。
【００６４】
図３０は、ランプ９０の説明図であり、図３０Ａは一部を破断して示す破断斜視図、図３０Ｂは正面図、図３０Ｃは側断面図である。
ランプ９０は、図３０Ｃに示すように、放電用ガスをガラス管に封入した発光源９１ａが、回転放物曲面などを有するリフレクタ９２と前面透明板９４によって囲まれ、リフレクタ９２の前面透明板９４側の図３０Ｃに示す上下に開孔９０ａ、９０ｂが設けられる。そして、開孔９０ａ、９０ｂにランプ内の空間を上下に延設する接続ダクト９５，９６が接合される。
ここで、ランプ９０のリフレクタ９２の外周側面は、前面透明板９４側から見たとき略矩形形状となるように略平面による４面取り加工され、図３０Ａ及びＣに示すように、この加工により形成された略半楕円形状の平面部９２-1，９２-1，９２-2，９２-2のうち、上下の平面部９２-1，９２-1に２つの略半楕円の開孔９２ａ，９２ｂが設けられた形状としている。
接続ダクト９５，９６は、断面が略矩形形状のエルボ形状をなす薄板金によるダクトとされ、ランプ９０の上下２つの略半楕円の開孔９２ａ，９２ｂを覆い、かつランプ９０前面側（前面透明板９４側）に気体出入口である略矩形形状の開口９５ａ，９６ａが配されるように低温ガラスなどのろう材で接合される。ここで、接続ダクト９５，９６の開口９５ａ，９６ａが気体出入口となる。
この接続ダクト９５の開口９５ａの略矩形枠内には、図３０Ｂに示すように、網板である比較的メッシュサイズの小さい金網９５ｂ，９６ｂが設けられ、開口９５ａ，９６ａの略矩形枠部の前面側に弾性を有する樹脂によるシール材９５ｃ，９６ｃが枠状に設けられる。
【００６５】
図３２及び図３３は、ランプ冷却装置１５０の構成を示し，図３２は説明のための模式図、図３３は模式図に対応する構成部品のみを示した斜視図である。ランプ冷却装置１５０は、放熱のためのラジエータ１００と、空気を循環させるための例えばシロッコファンなどによる送風装置１１０と、これらの機器間をつなぐダクト１２０，１３０と、管路との接続口である接続ダクト９５，９６を有しするランプ９０と、から構成される。すなわち、ランプ冷却装置１５０の空気が循環される管路は、筐体内の雰囲気とは隔離された閉じた管路（閉管路）とされる。
なお、図３２及び図３３では、ラジエータ１００と送風装置１１０とが直結された形態としている。また、ランプ９０は実際には、図３３に示す形態ではなく図３１に示すアダプタ８５を介して、光学ユニット５０の側と、ランプ冷却装置１５０に対して保持される。
ダクト１２０は、ランプ９０上側の接続ダクト９５に接続されるダクト１２１と、ラジエータ１００側に設けられるダクト１２２と、２つのダクト１２１，１２２の間を接続するチューブ１２３とから構成される。
ダクト１３０は、ランプ９０下側の接続ダクト９６に接続されるダクト１３１と、送風装置１１０側に設けられるダクト１３２と、２つのダクト１３１，１３２の間を接続するチューブ１３３とから構成される。
このように構成されたランプ冷却装置１５０では、ランプ９０から光が出射されているとき、送風装置１１０によりダクト１３０（ダクト１３２，チューブ１３３及びダクト１３１）を通ってランプ９０下側の接続ダクト９６側から空気が送られる。そして、この空気が高温の発光源９１ａを冷却すると同時に暖められる。この暖められた空気は、上側の接続ダクト９５を通ってダクト１２０（ダクト１２１，チューブ１２３及びダクト１２２）に導かれ、ラジエータ１００で放熱されて冷えた空気は送風装置１１０に戻ってくる。
つまり、送風装置１１０によりダクト内の空気が強制的に循環させられ、ランプ９０で暖められた空気がもつ熱がラジエータ１００で放散され、放熱し冷えた空気が常にランプ９０に供給される。
【００６６】
図３４は、図３１に示すランプ９０周りの、光学ユニット５０とランプ冷却装置１５０との接続状態を、説明のため分解して示す分解斜視図である。
ラジエータ１００は、図３２及び図３３に示すように、気体が通る管路の外側に複数の放冷フィンが設けられ、この気体の流れの下流側に送風装置１１０が直結される。そして、分解斜視図の図３４に示すように、ラジエータ１００の吸気側に、筒部開口１２２-1が上向きのダクト１２２が設けられ、送風装置１１０の送風側に、筒部開口１３２-1が横向きのダクト１３２が設けられる。
一方、ランプ９０の上側の接続ダクト９５に対応して設けられるダクト１２１は、略上方に延設されてから略９０°横方向に曲げられた後さらに折り曲げられ、筒部開口１２１-2が下向きに設けられる。また、ランプ９０の下側の接続ダクト９６に対応して設けられるダクト１３１は、略下方に僅か延設されてから略９０°横向きに筒部開口１３１-2が設けられる。
そして、ダクト１２１の筒部開口１２１-2とダクト１２２の筒部開口１２２-1の間にチューブ１２３が略直管状として接続され、ダクト１３１の筒部開口１３１-2，ダクト１３２の筒部開口１３２-1間にチューブ１３３がコの字状に曲げられて装着・接続される。
ここで、ダクト１２１，１２２，１３１，１３２は耐熱プラスチックなどによる成形により形成され、チューブ１２３，１３３は、２００℃で程度までの耐熱性と折り曲げ自在の柔軟性を有し、放出ガスにランプの輝度劣化の原因となるような例えば硫黄成分を含有しないシリコーン樹脂などにより形成される。そして、開口１２１-2，１２２-1，１３１-2，１３２-1の外径は、チューブ１２３，１３３の内径よりも大きく形成され、チューブ１２３，１３３を装着したとき気密性を保持できるようにする。
【００６７】
また、ダクト１２１，１３１の、ランプ９０の接続ダクト９５，９６と接続される一端には、図３４に示すように、楔状の凸部１２１-1，１２１-1，１３１-1，１３１-1がそれぞれ設けられる。この楔状の凸部１２１-1，１２１-1，１３１-1，１３１-1は、アダプタ８５の上側の溝８５-1，８５-1と下側の溝８５-2，８５-2に係合して、ダクト１２１，１３１を所定位置に位置決めする。
そして、図３３に示すランプ９０が組み込まれた状態では、ランプ９０上下の接続ダクト９５，９６の開口９５ａ，９６ａの枠状のシール材９５ｃ，９６ｃ（図３０，図３４参照）を介して、ダクト１２１，１３１の一端に設けられる不図示の開口が密着固定される。
【００６８】
次に、光学ユニット５０とランプ冷却装置１５０との接続状態を説明する。
図３３に示すランプ冷却装置１５０は、図３１に示すように、アダプタ８５を介して光学ユニット５０の取り込み部６４に固定される。
ここで、アダプタ８５は、図３４に示すように、略矩形形状の開口８５ｂを有する枠部８５ａに対し直交するように略板状のカバー８５ｃが立設される。そして、枠部８５ａの上側にダクト１２１に設けられる楔状凸部１２１-1，１２１-1が係合・挿着される溝８５-1，８５-1形成され、下側にダクト１３１に設けられる楔状凸部１３１-1，１３１-1が挿着される溝８５-2，８５-2が形成される。
また、枠部８５ａの上下の枠部の略中央に突起片８５-3，８５-4が設けられ、この突起片８５-3，８５-4の背面側に、図３４に示すダクト１２１，１３１に設けられる突起１２１ａ，１３１ａと係合する係合凹部が設けられる。  
そして、枠部８５ａの突起片８５-3，８５-4のそれぞれの両側には、ダクト１２１，１３１を挿着するときのガイドの用をなすガイド片８５-5〜８５-8が設けられる。また、枠部８５ａには、取り込み部６４の端部上下に設けられるブラケット６４ａ，６４ａとの係合部と、取り込み部６４のねじ挿通孔６４ｂと対応する位置に不図示のねじ孔とが設けられる。
カバー８５ｃは、取り込み部６４に複数組み込まれる色フィルタ６４ｃの収納領域を、固定ねじにより外光が入らないように密閉するものである。
そして、アダプタ８５は、光学ユニット５０がボトムフレーム１１に装着される前に取り込み部６４にねじ固定される。
【００６９】
次に、ボトムフレーム１１への光学ユニット５０の装着とこの光学ユニット５０へのランプ冷却装置１５０の組み込みについて説明する。
【００７０】
初めに、ボトムフレーム１１への光学ユニット５０の装着を図２５〜図２７，図２９を参照して説明する。
図２９は、ベースブロック６０のみを残し他を省略して示した光学ユニット５０がボトムフレーム１１に装着された状態を示す一部断面図である。
円筒部６０ｆに、図２７に示すばね押え８０と圧縮コイルばね８１が組み込まれた状態で光学ユニット５０は、ボトムフレーム１１に立設された回転軸７０の回りに所定の角度範囲につき回転自在に装着される。そして、光学ユニット５０のベースブロック６０の円筒部６０ｆのねじ孔６０ｂに、図２５および図２９に示すように、ボトムフレーム１１の図に示す左側の側壁１１-4，１１-5のねじ挿通孔１１ｊ，１１ｋから調整ねじ８２が螺入される。
ここで、調整ねじ８２の当初の螺入位置は、ベースブロック６０の図２５に示す領域Ａの長辺部６０-7がボトムフレーム１１の側壁１１-4と略平行となるように、ねじ孔６０ｂにねじ込まれる。この略平行な状態では、側壁１１-4とばね押え８０の円板８０ａとが接触し、また、ばね押え８０の円板８０ａが押込まれて折り返し部８０ｄが円弧スリット６０ｇによる掛止から解放され、帯状の板金８０ｃの両端部が円筒部６０ｆの円弧スリット６０ｇから大きく突設される。
【００７１】
そして、調整ねじ８２をねじ孔６０ｂに対し、圧縮コイルばね８１の付勢力に抗してねじ込んで行くと、ベースブロック６０はボトムフレーム１１の面１１-3上を回転軸７０回りに図２５に示す時計回りに回転する。このとき、調整ねじ８２のねじ込みは、圧縮コイルばね８１のコイルが密着状態となるまでの、ベースブロック６０の３つのピン挿通孔６０ｃと組付けピン６５の軸部６５ｂの径の差による遊びの範囲で行われる。そして、ねじ込みの過程で圧縮コイルばね８１の付勢力によりボトムフレーム１１の側壁１１-4とベースブロック６０の円筒部６０ｆとの間にがたが生じないようにして回転の微動が行われる。
また、調整ねじ８２を、ねじ孔６０ｂから抜ける方向に回すとベースブロック６０はボトムフレーム１１の面１１-3上を回転軸７０回りに図２５に示す反時計回りに回転する。
つまり、ベースブロック６０は、調整ねじ８２のねじ孔６０ｂへのねじ込みにより、圧縮コイルばね８１のコイルが略密着した状態から、ばね押え８０の折り返し部８０ｄが円筒部６０ｆの円弧スリット６０ｇと掛止する状態となるまでの角度範囲内の、ピン挿通孔６０ｃと組付けピン６５の軸部６５ｂの径の差による遊びの範囲で、回転軸７０回りに回転微動することができる。
なお、ベースブロック６０のボトムフレーム１１との接触は、上述のように、図２５に示す調整ねじ孔６０ｂと基準面突部６０ｄ-2と３つのピン挿通孔６０ｃの下部に突設された面で行われるため、極めて高い平面度とすることができる。このため、調整ねじ８２を用いてベースブロック６０の円筒部６０ｆのみを回転の作用点とした力を加えても容易に角度調整を行うことができる。
【００７２】
次に、ベースブロック６０上に装着された光学ユニット５０への、ランプ冷却装置１５０の組み込みを、図３１及び図３４を参照して説明する。
【００７３】
初めに、送風装置１１０と一体に接続されたラジエータ１００をボトムフレーム１１上の所定位置に固定する。このとき、ラジエータ１００の上方には、光学ユニット５０のアダプタ８５が配される。
そして、アダプタ８５の上側の溝８５-1，８５-1に対してダクト１２１の楔状凸部１２１-1，１２１-1を挿着し、下側の溝８５-2，８５-2に対してダクト１３１の楔状凸部１３１-1，１３１-1を挿着する（図３４参照）。このとき、ダクト１２１，１３１の突起１２１ａ，１３１ａとアダプタ８５の突起片８５-3，８５-4とが係合し固定される（図３１参照）。  
そして、図３１に示すように、ダクト１２１とラジエータ１００の間を、耐熱性と柔軟性を有するチューブ１２３で接続すると共に、送風装置１１０とダクト１３１の間も同様のチューブ１３３で接続する。
最後に、ランプ９０上下の接続ダクト９５，９６の開口９５ａ，９６ａとダクト１２１，１３１の図示しない開口とを密着するようにランプ９０を設ける。ここで、ランプ９０のランプ冷却装置１５０への装着は、ランプ９０が図示しないアタッチメント部品に組み込まれ後、このアタッチメント部品の係合部とアダプタ８５に設けられる被係合部とが係合されることで行われる。
つまり、ボトムフレーム１１に固定されたラジエータ１００と送風装置１１０に対し、柔軟性のあるチューブ１２３，１３３を介してランプ９０がアダプタ８５に保持され、その結果、ランプ９０は光学ユニット５０に対し所定位置に位置決めされる。
【００７４】
このように構成した光学ユニット５０の調整では、ベースブロック６０を有する光学ユニット５０をフレーム構造体に装着し、調整ねじ８２をベースブロック６０の円筒部６０ｆのねじ孔６０ｂへねじ込むことによって回転軸７０回りに光学ユニット５０を回転微動させるようにする。
このとき、ベースブロック６０のピン挿通孔６０ｃに、付勢用の圧縮コイルばね６６を備えた組付けピン６５を設けてベースブロック６０をフレーム構造体（ボトムフレーム１１）に押付けるようにし、かつピン挿通孔６０ｃと組付けピン６５の軸部６５ｂの径の差による遊びの範囲内で回転微動して光学ユニット５０から投影ミラー３０に投影される光路を変化させることができる。
そして、この調整のとき、ランプ冷却装置１５０の柔軟性のあるチューブ１２１，１３１を介してランプ９０が保持されることにより、余分の力が加えられることなくランプ９０が光学ユニット５０と一緒に回転軸７０回りに回転移動させられる。
また、円筒部６０ｆ内に装着される圧縮コイルばね８１は、大きなばね定数を有するものとしたので、光学ユニット５０の角度調整後に振動などの外力が加えられてもそれを吸収することができ、たとえ先に調整された状態から一時的にずれても元の状態に容易に復元するものとなる。
【００７５】
このように構成されたリニアプロジェクションディスプレイ装置のディスプレイユニット２は、次のように組み立てられる。
【００７６】
初めに、図６に示すフレーム構造体に対して、図５に示すように、ボトムフレーム１１に設けられている位置決め孔１１ｍの回転軸７０に装着されたのち、ワッシャ６７，６７の間に圧縮コイルばね６６が設けられた組付けピン６５，６５，６５で所定の角度範囲で回転自在に、アダプタ８５が設けられた光学ユニット５０が装着される。このとき、アダプタ８５にはダクト１２１，１３１が予め取り付けられ（図３４参照）、また、ベースブロック６０の図２５に示す長辺部６０-7がボトムフレーム１１の側壁１１-4と略平行になるように調整ねじ８２がねじ込まれる（図２９参照）。
そして、ダクト１３２が設けられた送風装置１１０とダクト１２２が設けられたラジエータ１００とが一体に接続された状態でボトムフレーム１１に取り付ける。そして、ダクト１２１，１２２間にチューブ１２３を装着し、ダクト１３１，１３２間にチューブ１３３を装着する（図３４参照）。
それから、図示しないアタッチメント部品に組み込まれたランプ９０をアダプタ８５に対して装着する。このとき、ランプ９０の上下の接続用ダクト９５，９６のシール材９５ｃ，９６ｃがダクト１２１，１３１の図示しない面に密着されて気密性が保持される。また、ランプ９０の発光源９１ａは光学ユニット５０の光路に対して常に所定の位置となるように位置決めされ（図３１参照）、図３２に示すランプを空冷する空気の循環経路が完成するものとなる。
【００７７】
このように、本例でのランプ冷却装置１５０は、空気の循環経路は、図３３に示すように、閉管路となるように構成され、管路の途中に柔軟性を有するシリコーン樹脂などによるチューブ１２１，１３１が設けられるため、ランプ９０が万一破裂したときにも発光源９１ａ内部に封入されている水銀などを装置の外部に逃がすことがなく、大きなガラス破片が接続ダクト９５の金網９５ｂによって落下が阻止されて送風装置１１０やラジエータ１００を損傷させることがないようにできる。
【００７８】
一方、図７Ａに示す投影ミラー３０が、トップフレーム１４の図１１Ａに示す円筒面凹溝１４ａ内で図７Ｂに示す軸ピースが回転摺動自在とされ、ミラー固定板１９で所定の回動角度に設けられる。このとき、投影ミラー３０は、その軸ピース３８，３８のシャフト３８ａ，３８ａと、左右サイドフレーム１２，１３の上部に着装された図４に示すミラー軸受２ａ，２ｂとが係合して回動自在とされる。
そして、フレーム１１，１２，１３，１４からなるスクリーン枠の、図５に示す奥側にスクリーン３が載置され、図４に示す４つのスクリーン押え９ａ，９ｂ，９ｃ，９ｄによりスクリーン３の４周辺部が押えられる。
なお、複数の層構造を有するスクリーン３の図４に示す左右の押えは、図１５に示すように、左右サイドフレーム１２，１３の面１２-1，１３-1側に、弾性を有する緩衝シート３ａを介して配され、このスクリーン３を左右スクリーン押え９ｂ，９ｃにより、スクリーン３に変形を与えないように固定される。上下スクリーン押え９ａ，９ｄでも同様に、スクリーン３に変形を与えないように固定される（図４参照）。
【００７９】
これにより、ディスプレイユニット２は、背面側から見ると図５に示すように、また前面側から見ると図４に示すように組み上げられる。そしてディスプレイユニット２の前面側から、ボトムフレーム１１の板状部１１ｆに固定された脚部プレート２５に脚部カバー７が設けられ、図３に示すように、アウターフレーム４とカバーフレーム６が配設された状態で、背面側からリアーカバー５で光学ユニット５０などを覆うようにしてアウターフレーム４にねじで固定する。このカバーフレーム６のアウターフレーム４との固定に際し、本例のリアプロジェクションディスプレイ装置では図２に示すスピーカーユニット８，８が設けられる。
そして、図２に示すリアーカバー５の上部に設けられるミラー調整部蓋５ａを開けると、図１６に示すミラー固体板１９が露呈されるようになされるため、固定ねじ２３を緩めて調整ねじ２１を回転させて投影ミラー３０の傾斜角度の微調整を行うことができる。すなわち、投影ミラー３０の傾斜角度を大きくして映像中心をスクリーン３の下方向に、また、小さくして映像中心をスクリーン３の上方向にずれるように調整することができる。
【００８０】
また、アウターフレーム４の下に露呈される調整孔２ｃ（図２９に示すねじ挿通孔１１ｊ）に調整ねじ８２を回わすための調整工具を挿入して調整ねじ８２を回し、ボトムフレーム１１に装着されている光学ユニット５０を回転軸７０の回りに回転させてスクリーン３上の映像を調整することができる。調整工具としては、例えば調整ねじ８２が六角穴付きボルトの場合には、六角レンチが用いられる。
すなわち、光学ユニット５０を回転軸７０の回りに図２５に示す時計回りに回転させてスクリーン３の正面から見たときの映像中心をスクリーン３の左方向に、また、反時計回りに回転させて映像中心を右方向にずれるように調整する作業を容易に行うことができる。
そして、この光学ユニット５０の調整では、ラジエータ１００と送風装置１１０とはボトムフレーム１１に対して固定され、ランプ９０のみが光学ユニット５０と一体に独立して動かすことができるので僅かの力で作業を行うことができる。このとき、ランプ９０の接続ダクト９５，９６がチューブ１２３，１３３を介してラジエータ１００及び送風装置１１０と接続されているので、冷却性能を損なわず、またランプ９０自体に余分の力が加わらないようにすることができる。
【００８１】
このように、本例のリアプロジェクションディスプレイ装置では、ボトムフレーム１１に立設されている回転軸７０の回りに回転自在で、調整ねじ８２のねじ込みにより所定の角度範囲内で微動させることができるように光学ユニット５０をボトムフレーム１１に装着してスクリーン３の正面から見たときの映像の調整を行うことができ、（図２５）この調整では、ランプ９０は光学ユニット５０と一体で、ランプ９０自体に余分の力が加わらないように動かすことができる。また、外部空間に対する気体の循環経路の気密性を保持した状態でランプ９０を点灯することができるので、塵埃の進入を大幅に低減することができ、発光源９１ａやリフレクタ２０２への塵埃付着・焼き付きなどによって点灯時の輝度や冷却性能を損なうことがないのでランプ寿命を延ばすことができる。
また、空気の循環経路が閉管路をなすようにされ、柔軟性のチューブ１２１，１３１が管路の途中に設けられるので、ランプ９０の破裂のときの衝撃がチューブ１２１，１３１の変形で緩衝され外部への破裂音が抑制され、また破裂の破片などを外部に飛散させることがない。
【００８２】
本例のランプ冷却装置によれば、ランプに接続されるダクトに柔軟性を有するチューブを使用しているので、冷却媒体となる気体の循環経路を外部に対して気密に構成することができ、ランプ自体の動きに対して柔軟に保持し、外部からの塵埃の進入を抑制しランプのリフレクタや光源の表面に付着することによる輝度の劣化を抑制することができ、さらに万一のランプ破裂時でもガラス破片や水銀などの光源内部の封入材を循環経路外に出さないようにすることができる。
また、チューブに柔軟性と耐熱性を兼ね備えたシリコーン樹脂を採用したので、硫黄成分を含むアウトガスがランプのリフレクタや光源の表面に付着することによる輝度の劣化を抑制することができ、また、素材の柔軟性により循環経路の組立を容易に行うことができることから構造上入り組んだ場所にも設置できスペースの最小化とセットの小型化に寄与することができる。
また、循環気流を形成する送風装置の振動が可撓性を有するチューブで緩和され、高温となっているランプの寿命を長くすることができる。
【００８３】
また、本例のリアプロジェクションディスプレイ装置によれば、柔軟性のあるチューブによりランプがランプ冷却装置に対して柔軟に保持され、光学ユニットのボトムフレーム上での角度の微調整で、ランプは光学ユニットと一体かつランプ冷却装置とは独立して動かすことができるので、高い精度が要求される薄型化された装置でも例えばランプ交換後の光学ユニットの調整作業を容易に行うことができる。
【００８４】
本発明のリアプロジェクションディスプレイ装置は、上述例に限ることなく本発明の要旨を逸脱することなく、その他種々の構成を採り得ることは勿論である。例えば、上述した実施の形態では、光学系として、反射型の液晶画像表示パネルを使用した例としたが、透過型の液晶画像表示パネルを使用した構成としてもよい。或いは、ＤＬＰ（Digital Light Processing）型表示パネルのような微小なミラーを制御する素子を使用した構成としてもよい。また、上述例ではチューブ１２１，１３１を循環経路の一部に用いた例で説明したが、これに限らず全管路に使用してもよく、耐熱性の面からシリコーン樹脂によるチューブを用いた例で説明したが、循環気体の温度が比較的低温であればＥＰＤＭ（エチレン・プロピレン・ブタジエンゴム）等のゴムを使用してもよい。また、柔軟性がやや劣るが耐熱性の面からは、フッ素樹脂系のチューブを用いても勿論よい。
また、低出力のランプを使用し冷却後の空気の温度が大きくなく、アウトガスのおそれがないときには、例えばゴム以外のＰＰＳ（プリフェニレンサルファイド）等の樹脂を用い、柔軟性を付与するため直管状のチューブの代わりに蛇腹構造により行うようにしてもよい。
【図面の簡単な説明】
【００８５】
【図１】本発明の一実施の形態の例によるリアプロジェクションディスプレイ装置を前面側から見た外観斜視図である。
【図２】図１例のリアプロジェクションディスプレイ装置を背面側から見た外観斜視図である。
【図３】図１例のリアプロジェクションディスプレイ装置の構成を示す、前面側から見た分解斜視図である。
【図４】図３例のディスプレイユニットを前面側から見た外観斜視図である。
【図５】図３例のディスプレイユニットを背面側から見た外観斜視図である。
【図６】図５例の背面側から見たディスプレイユニットでフレーム構造体のみを示した斜視図である。
【図７】図５例に示す投影ミラーの、Ａは上側から見た、Ｂは反転して上側から見た外観斜視図である。
【図８】図５例に示す光学ユニットを投影窓の中心で断面して見た断面図である。
【図９】本発明の一実施の形態の例によるリアプロジェクションディスプレイ装置の投影された映像の光路の例を示す説明図である。
【図１０】図６例のフレーム構造体のうちスクリーン枠を構成する４つのフレームを一部破断して示す斜視図である。
【図１１】図１０例に示す４つのフレームの押出し断面形状を示し、Ａはトップフレーム、Ｂは右サイドフレーム、Ｃは左サイドフレーム、Ｄはボトムフレームの断面図である。
【図１２】図６例のフレーム構造体でボトムフレームと左サイドフレームとの位置決め固定状態を示す斜視図である。
【図１３】図６例のフレーム構造体でトップフレームと左サイドフレームとの位置決め固定状態を示す斜視図である。
【図１４】図６例のフレーム構造体でボトムフレームと左サイドフレームとを筋交い状に連結する左フレームサポートの、左サイドフレームとの固定状態を示す斜視図である。
【図１５】図４例のスクリーンの組付け状態を説明する断面図である。
【図１６】図６例に示すミラー固定板の分解斜視図である。
【図１７】図７Ａ例に示すミラー保持プレートの外観斜視図である。
【図１８】図５例に示すディスプレイユニットの投影ミラーの、トップフレームへの装着直前の状態の説明のための断面図である。
【図１９】図５例に示すディスプレイユニットの投影ミラーの装着状態を示す断面図である。
【図２０】図７Ａ例の投影ミラーを中心で断面した断面図である。
【図２１】図７Ａ及びＢ例に示す投影ミラーに用いる部材の外観斜視図であり、Ａはサポートピースを上面から見た図、Ｂはサポートピースを反転して上面から見た図、Ｃは押えピースの図、Ｄは軸ピースの図である。
【図２２】図１８例の投影ミラーのトップフレームへの装着直後の状態を示す要部拡大斜視図である。
【図２３】図１９例の投影ミラーの装着状態の要部を断面して示す一部断面斜視図である。
【図２４】本発明の一実施の形態の例によるリアプロジェクションディスプレイ装置の光学ユニットのフレームへの装着を説明する外観斜視図である。
【図２５】図２４例の光学ユニットの装着状態を説明する、光学ユニットのベースプレートを示す平面図である。
【図２６】図２４例の光学ユニットの装着状態を説明する、光学ユニットのベースプレートを示す斜視図である。
【図２７】本発明の一実施の形態の例によるリアプロジェクションディスプレイ装置の光学ユニットのベースブロックに備えられている円筒部の分解斜視図である。
【図２８】本発明の一実施の形態の例によるリアプロジェクションディスプレイ装置の光学ユニットのボトムフレームへの組付けに用いる組み付けピンの外観斜視図である。
【図２９】本発明の一実施の形態の例によるリアプロジェクションディスプレイ装置の光学ユニットの調整の説明に用いる、一部断面図である。
【図３０】本発明の一実施の形態の例によるリアプロジェクションディスプレイ装置のランプの、Ａは外観斜視図、Ｂは正面図、Ｃは側断面図である。
【図３１】本発明の一実施の形態の例によるリアプロジェクションディスプレイ装置のランプ冷却装置と光学ユニットの取り込み部の接続状態を示す外観斜視図である。
【図３２】本発明の一実施の形態の例によるリアプロジェクションディスプレイ装置のランプ冷却装置の構成を説明する模式図である。
【図３３】図３２例のランプ冷却装置の構成を説明する外観斜視図である。
【図３４】図３１例の本発明の一実施の形態の例によるリアプロジェクションディスプレイ装置のランプ冷却装置の分解斜視図である。
【図３５】従来のリアプロジェクションディスプレイ装置のスクリーンへの映像を投影する光路の例を示す説明図である。
【図３６】従来のリアプロジェクションディスプレイ装置のランプ冷却構造を示す斜視図である。
【図３７】図３６のランプの側面図である。
【図３８】従来のリアプロジェクションディスプレイ装置の他のランプ冷却構造を示す斜視図である。
【符号の説明】
【００８６】
５０…光学ユニット、９０…ランプ、９５，９６…接続ダクト、１００…ラジエータ、１１０…送風装置、１２１，１２２，１３１，１３２…ダクト、１２３，１３３…チューブ（ダクト）
【図１】
2007248641.tif 000003
【図２】
2007248641.tif 000004
【図３】
2007248641.tif 000005
【図４】
2007248641.tif 000006
【図５】
2007248641.tif 000007
【図６】
2007248641.tif 000008
【図７】
2007248641.tif 000009
【図８】
2007248641.tif 000010
【図９】
2007248641.tif 000011
【図１０】
2007248641.tif 000012
【図１１】
2007248641.tif 000013
【図１２】
2007248641.tif 000014
【図１３】
2007248641.tif 000015
【図１４】
2007248641.tif 000016
【図１５】
2007248641.tif 000017
【図１６】
2007248641.tif 000018
【図１７】
2007248641.tif 000019
【図１８】
2007248641.tif 000020
【図１９】
2007248641.tif 000021
【図２０】
2007248641.tif 000022
【図２１】
2007248641.tif 000023
【図２２】
2007248641.tif 000024
【図２３】
2007248641.tif 000025
【図２４】
2007248641.tif 000026
【図２５】
2007248641.tif 000027
【図２６】
2007248641.tif 000028
【図２７】
2007248641.tif 000029
【図２８】
2007248641.tif 000030
【図２９】
2007248641.tif 000031
【図３０】
2007248641.tif 000032
【図３１】
2007248641.tif 000033
【図３２】
2007248641.tif 000034
【図３３】
2007248641.tif 000035
【図３４】
2007248641.tif 000036
【図３５】
2007248641.tif 000037
【図３６】
2007248641.tif 000038
【図３７】
2007248641.tif 000039
【図３８】
2007248641.tif 000040